(57)【特許請求の範囲】
【請求項１】
軸孔（２ａ）が形成されたディスク（２）を支持するディスク支持ユニット（１）と、ディスク（２）の軸孔（２ａ）に挿入される軸（６）とを備え、フローティング状態でディスク（２）と軸（６）とを相対的に移動させて軸孔（２ａ）と軸（６）とを位置合わせして、軸（６）にディスク（２）を挿入するフローティング式ディスク挿入装置において、上記ディスク支持ユニット（１）が、端部においてディスク（２）を把持する把持体（１７）と、該把持体（１７）を支持するケース（２２）とからなり、ケース（２２）と把持体（１７）との間に、把持体（１７）を移動自在にフローティング状態で支持し、 フローティング状態の解除により把持体（１７）をケース（２２）の一定位置に復元させて位置決めするフローティング支持部を設け、フローティング支持部が、テーパ面を備えた支持部（２０）と、該テーパ面を受ける漏斗状のテーパ面を備えた支持壁（２５）と、該支持壁（２５）に穿設した通気路（３１）とを備え、支持部（２０）を支持壁（２５）から浮上させるように前記通気路（３１）から加圧流体を噴出せしめてなるディスクのフローティング支持装置。
【請求項２】
フローティング状態の把持体（１７）の移動を平行移動に近似することができるように、フローティング支持部を設けた請求項１のディスクのフローティング支持装置。
【請求項３】
把持体（１７）の反把持位置側に、フローティング状態の把持体（１７）の反把持部側への移動を弾力的に規制する規制部を設けた請求項１又は２のディスクのフローティング支持装置。
【請求項４】
規制部が、位置決め軸（３３）と、該位置決め軸（３３）の先端と当接する凹状の位置決め部（３６）からなり、フローティング状態の把持体（１７）を位置決め軸（３３）と位置決め部（３６）との当接点を支点として揺動させる請求項３のディスクのフローティング支持装置。
【請求項５】
ディスク（２）がハードディスクドライブにおける磁気ディスクである請求項１又は２又は３又は４のディスクのフローティング支持装置。
【発明の詳細な説明】
【０００１】
【発明の属する技術分野】
この発明は、ハードディスクドライブに使用される磁気ディスク等のディスクをフローティング状態で軸に挿入せしめるフローティング式ディスク挿入装置における挿入装置におけるディスクのフローティング支持装置に関する。
【０００２】
【従来の技術と発明が解決しようとする課題】
従来ハードディスクは内部に円板状の磁気ディスクが回転自在に軸支されて収容されており、該ディスクを回転させ、回転するディスク上をヘッドでスキャンすることによって、磁気ディスクへのデータの書き込みと、磁気ディスクからのデータの読み出しを行なう構造となっている。このためハードディスクの製造工程においては、磁気ディスクを支点軸に挿入するという工程が必ずある。
【０００３】
一方ハードディスクにおいて、データの読み書き時のヘッドとディスクとの間隔は極めて小さく（概ね０．１ミクロン以下）、ハードディスクのケース内にゴミ等が発生すると、該ゴミ等によりハードディスクの読みとり又は書き込みエラー等が発生する場合があり、ケース内のゴミ等を特に嫌う。
【０００４】
このため磁気ディスクの孔と支点軸とを、少なくとも一方が削られてゴミが発生するような接当をさせることなく、磁気ディスクの支点軸への挿入作業を行う必要があり、この挿入作業を実現させるために、本件の出願人は、特開２００１−１５７９３２号公報に示される磁気ディスク等の板状部材の軸への挿入装置を既に特許出願している。
【０００５】
上記特許出願（板状部材の軸への挿入装置）は、簡単に説明すると、１次調節手段によって、ディスクを保持するホルダとディスクとの位置調節を行い、２次調節手段によって上記ホルダと軸との位置調節を行うことによって、孔の内周面と軸とを接触させることなく軸に挿入させるものである。
【０００６】
このとき上記２次調節手段は、軸を外周方向に移動可能に浮遊状態（フローティング状態）で支持した状態から、ホルダに形成された凹部より外に向かってエアを噴出せしめ、該エアによって孔への軸の嵌合挿入時に、軸の外周面と凹部の内周面との間隙が自動的に均一となるように、軸を案内する構造となっている。
【０００７】
しかし上記装置は、軸をフローティング状態で保持し、ディスクの軸への挿入時に、軸側を周方向に移動させる構造であったため、通常軸はケースから突出せしめられている状態であり、結局ケース自体をフローティング状態で支持することとなり、この際、特に軸（ケース）の移動距離がミクロン単位であるため、ケースを円滑に移動させる必要があり、支持機構が大型化して複雑になるという欠点があった。
【０００８】
【課題を解決するための手段】
上記課題を解決するための本発明のディスクのフローティング支持装置は、第１に軸孔２ａが形成されたディスク２を支持するディスク支持ユニット１と、ディスク２の軸孔２ａに挿入される軸６とを備え、フローティング状態でディスク２と軸６とを相対的に移動させて軸孔２ａと軸６とを位置合わせして、軸６にディスク２を挿入するフローティング式ディスク挿入装置において、上記ディスク支持ユニット１が、端部においてディスク２を把持する把持体１７と、該把持体１７を支持するケース２２とからなり、ケース２２と把持体１７との間に、把持体１７を移動自在にフローティング状態で支持し、 フローティング状態の解除により把持体１７をケース２２の一定位置に復元させて位置決めするフローティング支持部を設け、フローティング支持部が、テーパ面を備えた支持部２０と、該テーパ面を受ける漏斗状のテーパ面を備えた支持壁２５と、該支持壁２５に穿設した通気路３１とを備え、支持部２０を支持壁２５から浮上させるように前記通気路３１から加圧流体を噴出せしめてなることを特徴としている。
【０００９】
第２に、フローティング状態の把持体１７の移動を平行移動に近似することができるように、フローティング支持部を設けたことを特徴としている。
【００１０】
第３に、把持体１７の反把持位置側に、フローティング状態の把持体１７の反把持部側への移動を弾力的に規制する規制部を設けたことを特徴としている。
【００１１】
第４に、規制部が、位置決め軸３３と、該位置決め軸３３の先端と当接する凹状の位置決め部３６からなり、フローティング状態の把持体１７を位置決め軸３３と位置決め部３６との当接点を支点として揺動させることを特徴としている。
【００１２】
第５に、ディスク２がハードディスクドライブにおける磁気ディスクであることを特徴としている。
【００１３】
【発明の実施の形態】
図１〜図３は本発明を採用したディスクを支持するディスク支持ユニット１を使用したフローティング式ディスク挿入装置による磁気ディスク２の支点軸６への挿入工程を時系列順に表した概略図であり、図１が積層状態の磁気ディスク２を１枚把持して、磁気ディスク２のディスク支持ユニット１に把持される位置（把持位置）を調節する１次調節テーブル４に載置するまでの工程を、図２が１次調節テーブル４上での磁気ディスク２の位置調節状態を、図３が磁気ディスク２をハードディスクケース７内の支点軸６に挿入する工程をそれぞれ示す。
【００１４】
なお上記ディスク支持ユニット１は、図示しないロボットによって、磁気ディスク２が積層されているディスク載置テーブル３と、上記１次調節テーブル４と、ハードディスクケース７が配置される挿入テーブル８との間の移動が可能となっており、１次調節テーブル４及び挿入テーブル８に対して上下移動が可能となっている。
【００１５】
そして上記ディスク支持ユニット１は、ロボットの位置決め精度によって、ディスク載置テーブル３の磁気ディスク積層位置（把持される磁気ディスク２）に対して、１次調節テーブル４における１次調節部９に対して、挿入テーブル８におけるハードディスクケース７の載置位置に対して、それぞれ所定の位置決め精度で位置決めされる。
【００１６】
これによりディスク載置テーブル３上の磁気ディスク２が、所定の磁気ディスク積層位置に積層されて配置されているため、ディスク支持ユニット１は各磁気ディスク２の略同じ位置を把持することになるが、磁気ディスク２の積層状態及びロボットによる位置決めの繰り返し精度等により、把持位置のミクロン単位での誤差が発生する。
【００１７】
また挿入テーブル８上のハードディスクケース７が、所定の載置位置に固定的に載置されるが、載置の精度やハードディスクケース７内の支点軸６の位置精度、ロボットによる位置決めの繰り返し精度等により、ハードディスクケース７（支点軸６）とディスク支持ユニット１との間の位置精度はミクロン単位での誤差が発生する。
【００１８】
換言すると、上記ロボットの位置決め精度は、磁気ディスク２の把持位置や支点軸６とディスク支持ユニット１との位置ずれ誤差や、ディスク支持ユニット１と１次調節部９との位置ずれ誤差が、ミクロン単位でしか異ならない程度の精度が要求される。ただし従来公知の組み立て用のロボットは通常上記精度をクリアしているため、ロボットに関する説明は割愛する。
【００１９】
そしてディスク支持ユニット１による磁気ディスク２の支点軸６への挿入作業は、ディスク支持ユニット１が、まず図１（ａ）に示されるように、ディスク載置テーブル３から磁気ディスク２を後述するように吸着して把持し、図１（ｂ）に示されるように、磁気ディスク２を把持した状態で１次調節テーブル４上に移動する。次にディスク支持ユニット１は、図１（ｃ）に示されるように磁気ディスク２を１次調節テーブル４上に載置して、その後図１（ｄ）に示されるように、１次調節テーブル４の上方に退避する。
【００２０】
一方図２に示されるように、上記１次調節テーブル４には、磁気ディスク２の支点軸６への挿入用の軸孔２ａの径より僅かに小さい径の調節孔１１が穿設されており、該調節孔１１内に調節爪ホルダ１２が収容されている。そして上記調節孔１１と調節爪ホルダ１２とによって前述の１次調節部９が構成されている。
【００２１】
このとき上記調節爪ホルダ１２内には、複数の調節爪１３が収容されており、調節爪ホルダ１２内に軸心方向にスライド自在に内装された調節軸１４のスライドによって、各調節爪１３を上記調節爪ホルダ１２の外周から突出させることができる。なお調節爪１３は、調節軸１４による突出力が解除されると図示しないスプリング等によって調節爪ホルダ１２内に復帰収容される。
【００２２】
そして磁気ディスク２がディスク支持ユニット１によって１次調節テーブル４上に載置されると、前述のように磁気ディスク２の軸孔２ａの中心と、調節孔１１の中心がミクロン単位の誤差で偏心する場合があり、この誤差のため、磁気ディスク２の軸孔２ａが調節孔１１の径より大きいとはいえ、図２（ａ）に示されるように、磁気ディスク２の軸孔２ａの内周縁が調節孔１１の内径内に位置する場合がある。
【００２３】
このため磁気ディスク２が１次調節テーブル４上に載置された状態において、調節爪１３を調節爪ホルダ１２から突出させることにより、調節爪１３は端部が調節孔１１の周面に当接するまで突出するため、調節爪１３が調節孔１１内に位置する磁気ディスク２の軸孔２ａの周縁と当接し、該軸孔２ａの周縁と当接する調節爪１３は、磁気ディスク２をせん断方向にスライドさせながら調節孔１１の周面に当接する。
【００２４】
これにより図２（ｂ）に示されるように、磁気ディスク２の軸孔２ａの周縁が調節孔１１内に位置しないように、１次調節テーブル４に対する磁気ディスク２の位置が調節され、この状態で図３（ａ）に示されるように、ディスク支持ユニット１を下降させて１次調節テーブル４上の磁気ディスク２を把持させる。
【００２５】
この際、ディスク支持ユニット１と１次調節テーブル４との位置が機械的に位置決めされているため、結局磁気ディスク２のディスク支持ユニット１に把持される把持位置が後述する位置に調節され、磁気ディスク２のディスク支持ユニット１に対する調節（１次調節）が行われる。
【００２６】
そして１次調節が行われた状態の磁気ディスク２を把持した状態のディスク支持ユニットを、図３（ｂ）に示されるように挿入テーブル８上に移動させ、後述するようにディスク支持ユニット１と支点軸６との位置調節（２次調節）を行わせながら下降させることによって、磁気ディスク２と支点軸６との当接（接触）を防止して、磁気ディスク２を支点軸６に挿入することができる。
【００２７】
次にディスク支持ユニット１の詳細な構造について詳細に説明する。ディスク支持ユニット１は、図４，図５で示されるように、ロボット側に支持される支持アーム１５と、該支持アーム１５に一体的に取付けられるフローティング支持ブロック１６と、該フローティング支持ブロック１６に後述する構成によって垂下状に支持される把持体１７とから構成されている。
【００２８】
上記把持体１７は、断面円形の軸部１９と、該軸部１９の上方に設けられ、フローティング作用を受けるテーパ面が形成された円錐駒型状の支持部２０と、磁気ディスク２を着脱可能に把持する把持部２１を備えた構造となっている。そして軸部１９がフローティング支持ブロック１６の軸孔１６ａと支持アーム１５の軸孔１５ａに遊動間隙Ｈを有した状態で上下及び全周方向に揺動可能に遊嵌されている。
【００２９】
一方上記フローティング支持ブロック１６は、フロートケース２２をケース蓋２３で開閉可能に閉鎖した構成をなし、上記フロートケース２２は内部に下向き漏斗状（円錐形）のテーパ面からなる支持壁２５を備えている。そして該支持壁２５の中心部に軸孔１６ａが穿設されてフロート室２６を構成しており、軸孔１６ａに前記軸部１９を嵌挿して、支持部２０と支持壁２５のテーパ面を当接させて支持部２０を支持している。
【００３０】
また支持壁２５の全周下部側には、エア供給口２７を介し図示しないエアコンプレッサに接続されるエア供給室２９が形成されており、さらに支持壁２５のテーパ面の全周には、フローティング用の複数の孔からなる通気路（通気孔）３１が所定間隔で穿設され、上記エア供給室２９に供給される加圧流体である圧縮エアを前記通気孔３１を介してフロート室２６に噴出させることが可能となっている。
【００３１】
これにより圧縮エアがエア供給口２７を介しエア供給室２９内に供給されると、支持壁２５に穿設した各通気孔３１からエアがフロート室２６内に噴出され、支持部２０のテーパ面がこの噴出エアの圧力を受けて、図５に示されるように、支持部２０が支持壁２５のテーパ面から離間せしめられて浮上させられ、軸部１９が軸孔３０内を上方に向けて移動し、フロート室２６内で支持部２０が支持壁２５から浮上した状態で支持され、すなわち把持体１７がフロートケース２２に浮遊状態（フローティング状態）で支持される。
【００３２】
すなわち図４に示されるように、エア供給室２９にエアの供給が行われない状態（エアの供給停止状態）においては、把持体１７はその自重が支持部２０と支持壁２５の互いのテーパ面の当接によって鉛直方向に安定よく受けられて、ケース２２における一定位置に位置決めされて垂下支持され、図５に示されるように、エア供給室２９内に圧縮エアが供給されると、把持体１７は上記のようにフローティング状態で支持される。
【００３３】
そして上記圧縮エアの入り切りによって、把持体１７はフローティング支持ブロック１６に対する支持状態が、互いのテーパ面の当接による位置決め支持状態とフローティング支持状態とに切り換えられ、特にフローティング支持状態から位置決め支持状態に切り換えられる際は、テーパ面の当接による位置決めにより、フローティングケース２２の一定位置に復元されて位置決めされる。
【００３４】
なおケース蓋２３には、支持壁２５の中心線上に対向して軸孔３２が穿設されており、該軸孔３２内には、位置決め軸３３が下向きに突出した状態でスライド可能に支持されている。そして位置決め軸３３は、軸孔３２内に設けられたスプリング３５によって下方に向けて押圧付勢されている。
【００３５】
また支持部２０の頭部の中心部（軸心に一致）には、位置決め軸３３の先鋭に形成された先端との当接が可能な凹状の位置決め部３６が形成されており、把持体１７のフローティング状態においては、位置決め軸３３の先端と支持部２０の位置決め部３６とが接当し、スプリング３５が反浮上方向側へ押圧付勢力を付与するため、把持体１７の自重とスプリング３５による付勢力とを加えた力とエア圧力のバランスによって、把持体１７が位置決め支持される。
【００３６】
このとき、支持部２０と支持壁２５は互いに接合するテーパ面を備えているため、支持部２０のテーパ面の全周にエアの浮上圧力が均等に作用し、把持体１７の上記フローティング状態においても軸心位置の支持精度が高く、把持部２１側の揺れを抑制する。
【００３７】
さらに、フロート室２６内でフローティング状態にある支持部２０は、各通気孔３１から噴出されるエア圧の変動やエアの乱流等がある場合でも、位置決め軸３３と位置決め部３６との接当押接により、支持部２０の位置決め基準点（位置決め軸３３と位置決め部３６との当接点）がずれることが無く、上記基準点で位置決めされた状態でフローティング支持される。
【００３８】
このため上記フローティング状態の把持体１７は、位置決め軸３３と位置決め部３６との接当位置を支点として、支持部２０と支持壁２５のテーパ面間に形成される浮遊間隙で許容される範囲において、全周方向への揺動作動を自由に行い、後述する２次調節が円滑に行われる。
【００３９】
次に把持部２１の構成について説明する。図６，図７に示されるように、把持部２１は下端面に孔状の凹部４４を備えた筒状をなし、軸部１９の下端に気密状態で取付け固定されている。このとき軸部１９には、圧縮エアの入力ポート４０とエアの排出ポート４１とが形成され、該入力ポート４０に上記凹部４４が連通せしめられており、凹部４４からエアを噴出させることができる。
【００４０】
このとき凹部４４の内周面４２の下端部分には、凹部４４の内側に突出する段部４３が形成されており、段部４３の内周４５の径は、支点軸６の外径より大きく、且つ前述の調節孔１１の径より小さく設定されている。そして凹部４４の軸心と、調節孔１１の軸心とは、上記ロボットの位置決め精度によって、ディスク支持ユニット１の上下移動時に、調節孔１１の内周縁が、段部４３の内周内径内に突出しないように予め位置決め設定されている。
【００４１】
これにより図３（ａ）に示されるように、磁気ディスク２の１次調節によって、磁気ディスク２は、軸孔２ａの内周縁が段部４３の内周４５の内径内に位置しないように、磁気ディスク２の把持位置が調節される。なお把持体１７の位置決め支持状態においては、把持体１７はフローティングケース２２の一定位置に位置決めされるため、前述のロボットによる位置決め精度を容易に出すことができ、１次調節の調節可能範囲を超えるような磁気ディスク２の位置ずれは発生せず、１次調節が確実に行われる。
【００４２】
また把持部２１の下端面には、前記出力ポート４１と連通する吸引口４６が複数設けられており、該吸引口４６を介して吸気されるエアの吸引力によって、磁気ディスク２が把持部２１の下端面において吸着保持される。なお上記のように構成される把持部２１は、磁気ディスク２を傷つけたり、破損したりすること等を防止するために、硬質ゴム材又はプラスチック材等によって形成されている。
【００４３】
次に図３〜図７を参照し、上記把持部２１と支点軸６との位置調節（２次調節）について説明する。なお支点軸６の上端縁には面取りが施されており、嵌合案内面４９が形成されている。
【００４４】
図３（ａ）に示されるように、把持部２１によって磁気ディスク２を吸着保持した把持体１７を、図３（ｂ）に示されるようにディスク支持ユニット１を支点軸６に向かって下降させる際に、フローティング支持ブロック１６のエア供給室２９に圧縮エアを供給して、把持体１７をフローティング状態で支持するとともに、入力ポート４０から凹部４４に圧縮エアを供給し、把持部２１（凹部４４）から圧縮エアを噴出せしめる。
【００４５】
このとき凹部４４から噴出するエアは、段部４３の内周面４５と支点軸６の外周面との間隙から均等な圧力で放出しようとするため、段部４３の内周面４５と支点軸６の外周面との間隙を全周において均等にする。このため把持部２１の軸心と支点軸６の軸心とが偏心している場合は、把持体１７が前述の基準点を支点として全周方向に揺動して把持部２１と支点軸６の軸心を一致させ、把持部２１と支点軸６との位置調節、すなわち２次調節を行なう。
【００４６】
そして上記２次調節を行いながら磁気ディスク２を支点軸６に挿入すると、上記のように凹部４４と支点軸６との軸心合わせが行われ、この際段部４３の内周面４５の内径内に磁気ディスク２の軸孔２ａの内周縁が突出することが無いため、外的な要因が無い場合は、支点軸６と磁気ディスク２の軸孔２ａとを当接させること無く、磁気ディスク２を支点軸６に挿入することができる。
【００４７】
ただし上記のような噴出エアによる軸心合わせは、凹部４４の内周面と、支点軸６の外周面とが対向することにより行われるため、軸孔２ａに支点軸６を挿入する瞬間は、軸孔２ａと支点軸６との当接が発生する可能性がある。しかし挿入直後（当接直後）は瞬時に凹部４４の内周面と支点軸６の外周面とが対向するため、凹部４４と支点軸６との軸心が合われ、すなわち当接直後に当接は解除される。
【００４８】
また挿入作業中においては、揺れ等の外的な要因によって軸孔２ａと支点軸６との当接が発生する場合もあるが、当接が発生しても直ちに上記のように凹部４４と支点軸６との軸心合わせが行われ、両者の当接は当接直後に解除され、結局支点軸６への磁気ディスク２の挿入時に、凹部４４の内周面と支点軸６の外周面との周面を削り取るような当接は行われない。
【００４９】
その後支点軸６の段部に磁気ディスク２の底面が当接する位置まで磁気ディスク２を挿入し、出力ポート４１からの吸気を停止し、吸引口４６による磁気ディスク２の吸着保持を解除すると、該磁気ディスク２は軸削り等を伴うような当接を防止した状態で、支点軸６に円滑に嵌挿される。
【００５０】
なお凹部４４から排出されるエアは、段部４３によってせき止められた状態になると共に、段部４３の内周面４５と支点軸６の外周面との間の間隙Ｌで絞られるような状態となるため、エアは段部４３の上面側において、矢印Ａで示すような渦流を形成すると考えられ、支点軸６の外周の全周において、凹部４４の内周面と支点軸６の外周面とを互いに離反させる方向に作用する。
【００５１】
そして上記段部４３によるエアの作用によって、段部４３を設けない場合に比較して、エアによる凹部４４と支点軸６の軸心合わせ状態を安定して保持し、外的な要因等によるディスクの挿入作業時の両者の接触（接当）を安定的に防止する。これにより外的要因に比較的強い軸心合わせ機構が提供され、外的要因に耐えて両者の軸心合わせを保持し、凹部４４側と軸孔２ａとの接触を防止する。
【００５２】
ただし上記構成により凹部４４と支点軸６との軸心合わせ状態を保持する作用が大きいとはいえ、支点軸６やディスク２を移動させる（軸心が合うように移動させる）という作用は比較的小さい力で行われる。
【００５３】
しかし２次調節時には、フローティング支持ブロック１６に把持体１７がフローティング状態で支持され、且つ把持体１７が位置決め軸３３の先端を中心に揺動するため、把持体１７は、上記のようなエアによる軸心合わせ作用力程度の比較的弱い力でも円滑に揺動せしめられ、把持部２１の軸心と支点軸６の軸心との心合わせの精度が向上する。
【００５４】
従って従来のように、ハードディスク側の軸をフローティング状態で保持し、ディスクの軸への挿入時に、軸側を外周方向に移動させるような複雑で大型化する支持機構を必要とすることなく、ハードディスク７側の支点軸６を固定することができ、ディスク支持ユニット１の全体の構成を簡潔で廉価なものにすることができる。
【００５５】
なお把持体１７は上記のように基準点を中心に揺動するが、前述のように各誤差がミクロン単位であることから揺動量はミクロン単位となり、揺動量に対して基準点（位置決め軸３３の先端であり、揺動支点となる）から把持部２１の端部までの距離が極端に長いため、把持部２１の揺動はほぼ平行移動に近似され、把持部２１の内周面と支点軸６との部分的な齧り接触は発生しない。
【００５６】
以上により磁気ディスク２の支点軸６への挿入作業時に、磁気ディスク２と支点軸６とが接触し、支点軸６が磁気ディスク２により削られて傷が付き、この削られた分がゴミとなりケース（ハードディスクユニット）内に残ることが防止され、このゴミに起因するハードディスク（磁気ディスク）のデータ読みだし、又はデータ書き込み不良（エラー）等が防止され、ハードディスクの不良率が減少する。
【００５７】
またこのような位置調節及び挿入動作においてフローティング支持ブロック１６は、把持部２１を漏斗状のテーパ面を形成した支持壁２５の中心部で軸部１９を嵌挿し、互いのテーパ面を接合させて支持するので、把持部２１の位置決め支持時のフローティングケース２２に対する軸心位置が一定位置となり、且つ把持体１７のフローティングケース２２に対する位置決め精度が高く、磁気ディスク２の把持作業や１次調節作業、搬送作業等を正確な精度で行うことができるとともに、ロボット側の位置決め精度への悪影響が少ない。
【００５８】
またフローティング支持時には、エア供給室２９内に供給する圧縮エアを支持壁２５に穿設した各通気孔３１から噴出させて、このエア圧力によって支持部２０と支持壁２５のテーパ面の接触を断って、支持部２０のテーパ面の全周にエアの浮上圧力を均等に作用させるので、把持体１７はフローティング支持状態においてもフローティングケース２２に対する軸心位置の位置精度を維持することができ、２次調節を可及的に短い移動距離において円滑に且つ正確に行うことができる。
【００５９】
このとき把持体１７をフローティング支持状態に切り換える直前は、把持体１７はフローティングケース２２に位置決め支持状態で支持されており、凹部４４と支点軸６の軸心の位置ずれは常にミクロン単位に維持され、２次調節の範囲を超えるような位置ずれは発生せず、２次調節を確実に行うことができる。
【００６０】
なお本実施形態においては、１次調節手段（１次調節部９）が位置決めテーブル４側に設けられている例について説明したが、１次調節部９を把持体１７側に設けても良い。またハードディスクケース７をフローティング状態で支持する装置に上記段部４３を備えた把持部２１を採用しても良く、さらに挿入テーブル８をハードディスクケース７をフローティング状態で支持する構造とし、磁気ディスク２の支点軸６への挿入時に把持体１７及びハードディスクケース７の両方を移動又は揺動可能としても良い。
【００６１】
【発明の効果】
以上のように構成される本発明の構造によると、ディスクの把持体がフローティング状態で支持されるため、従来のように、軸側を周方向に移動させて支持する支持機構を設けることなく、軸側を固定した状態で、ディスク側を揺動させてディスクを軸に挿入することができる。これによりディスク挿入装置自体が簡単になる他、ディスクは軸側に比較して軽量であるため比較的弱い力でも把持体は容易に移動し、挿入時のディスクと軸との当接防止を円滑に行い、ディスクの軸への挿入を行うことができる。
【００６２】
また把持体のフローティング支持状態を解除することによって、把持体はケースの一定位置に復元して位置決めされるため、把持体はフローティング状態の解除状態においてはケースにおける所定の位置に位置決めされてケースと一体的となる。このため把持体によるディスクの把持時のディスクと把持体側との位置決めや、ディスクと軸との挿入時における把持体のフローティング支持状態への切換時直前のディスクと軸との位置決め等を正確に行うことができ、把持体とディスク、あるいは把持体と軸等の調節範囲を超えるような位置ずれを防止することができる。
【００６３】
特にフローティング支持部を、テーパ面を備えた支持部と、該支持部のテーパ面を受ける支持壁とから構成することによって、両者の当接状態においては把持体の軸心位置の支持精度が高くなり、且つ支持部のテーパ面の全周に加圧流体の浮上圧力が均等に作用するため、把持体のフローティング状態においても軸心位置の支持精度が高くなるという効果がある。
【００６４】
なおフローティング支持部を、把持体の移動を平行移動に近似することができるように設けることによって、ディスクは周方向にほぼ平行に移動し、挿入時のディスクと軸との当接をより確実に防止することができる。
【００６５】
また把持体の反把持部側に、フローティング状態の把持体の反把持部側への移動を弾力的に規制する規制部を設けることにより、把持体のフローティング状態への移行時に把持体の浮上量を規制することができ、把持体の軸心位置を維持することができる他、把持体の移動量の増大を防止することができる。
【００６６】
さらに位置決め軸と、該位置決め軸の先端と当接する凹状の位置決め部とから規制部を構成し、位置決め軸と位置決め部との当接点を把持体の揺動支点とすることにより、把持体の揺動支点位置が安定し、通気路から噴出される加圧流体圧の変動や加圧流体の乱流等がある場合でも、把持体の中心位置をずらすことなく把持体のフローティング状態を維持して把持体の全周方向への揺動を自由にするため、上記ディスクの軸への挿入作業を容易に行うことができる。
【００６７】
そしてディスクがハードディスクの磁気ディスクである場合は、上記のように磁気ディスクを回転の支点軸に互いに接衝することなく挿入することができ、ハードディスクのケース内に磁気ディスク挿入時の、磁気ディスクと軸との当接によるごみ等の発生を防止することができる。
【図面の簡単な説明】
【図１】  （ａ）はディスク載置テーブルに載置された磁気ディスクを把持した状態の把持ユニットの側面概略図、（ｂ）は１次調節部の上に移動した状態の把持ユニットの側面概略図、（ｃ）は磁気ディスクを１次調節テーブル上に載置すべく１次調節テーブルに下降した状態の把持ユニットの側面概略図、（ｄ）は磁気ディスクを１次調節テーブル上に載置した後、１次調節テーブルから上昇した状態の把持ユニットの側面概略図を示す。
【図２】  （ａ）は１次調節テーブル上に載置された１次調節直前の磁気ディスクの状態を示す側断面図、（ｂ）は１次調節テーブル上での位置調節が行われた後の磁気ディスクの状態を示す側断面図である。
【図３】  （ａ）は磁気ディスクの１次調節後の把持状態である把持ユニットの側面概略図であり、（ｂ）は磁気ディスクの支点軸への挿入直前の状態の把持ユニットの側面概略図である。
【図４】  フローティング支持ユニット及び把持部の構成を示す側断面図である。
【図５】  図４の把持部のフローティング状態を示す側断面図である。
【図６】  把持部の構成を示す側断面図である。
【図７】  渦流の状態を示す拡大断面図である。
【符号の説明】
２      磁気ディスク（ディスク）
２ａ    軸孔
６      支点軸（軸）
１７    把持体
２０    支持部
２１    把持部
２２    フローティングケース
２５    支持壁
３１    通気孔（通気路）
３３    位置決め軸
３６    位置決め部
４４    凹部
【図１】
0003671033.tif 000002
【図２】
0003671033.tif 000003
【図３】
0003671033.tif 000004
【図４】
0003671033.tif 000005
【図５】
0003671033.tif 000006
【図６】
0003671033.tif 000007
【図７】
0003671033.tif 000008